(57)【特許請求の範囲】
【請求項１】
記録媒体を内部に挿入するための記録媒体挿入口を備えた機器本体に対し、前記記録媒体挿入口を覆う第１の位置と前記記録媒体挿入口を露出する第２の位置とに亘って第１の被動部と第２の被動部とを移動させる駆動機構であって、
前記機器本体に回転自在に支持されるとともに、前記第１の被動部を支持する第１の回転支持部材と、
前記第１の回転支持部材を回転させる第１の駆動手段と、
前記第２の被動部を支持する第２の支持部材と、
前記第２の被動部を支持するとともに前記機器本体に回転自在に支持された第２の回転支持部材と、
前記記録媒体を前記記録媒体挿入口から前記機器本体内外に挿排する方向に沿って前記第２の支持部材を移動させるとともに、前記第２の回転支持部材を回転させる第２の駆動手段と、を備え、
前記第１及び第２の駆動手段は、
単一のモータにより回転駆動される単一のカム歯車が回転することにより、前記第１の回転支持部材を回転させ、かつ、前記第２の支持部材を移動させるとともに前記第２の回転支持部材を回転させて、前記第１及び第２の被動部を互いに連動させて前記第１の位置と前記第２の位置とに亘って移動することを特徴とする駆動機構。
【請求項２】
前記第１の駆動手段は、
前記カム歯車の一方の表面に凹状に形成された第１の凹溝部と、
前記第１の回転支持部材から突出する第１の突出部材と、
前記第１の突出部材を通すとともに、前記第１の凹溝部内に侵入させることを許容する第１のガイド孔とを更に備え、
前記第２の駆動手段は、
前記カム歯車の他方の表面に凹状に形成された第２の凹溝部と第３の凹溝部と、
前記第２の支持部材から突出する第２の突出部材と、
前記第２の回転支持部材から突出する第３の突出部材と、
前記第２の突出部材を通すとともに、前記第２の凹溝部内に侵入させることを許容する第２のガイド孔と、
前記第３の突出部材を通すとともに、前記第３の凹溝部内に侵入させることを許容する第３のガイド孔と、を更に備え、
前記カム歯車が回転駆動されると、前記第１の凹溝部によって前記第１の突出部材が前記第１のガイド孔に沿って移動されるとともに、
前記第２の凹溝部によって前記第２の突出部材が前記第２のガイド孔に沿って移動され、前記第３の凹溝部によって前記第３の突出部材が前記第３のガイド孔に沿って移動されて前記第１及び第２の被動部が互いに連動して前記第１の位置と前記第２の位置とに亘って移動されることを特徴とする請求項１記載の駆動機構。
【請求項３】
前記第1の位置は、前記第1の被動部が前記機器本体の前面であって前記記録媒体挿入口を覆う位置に位置づけられるとともに、前記第２の被動部が当該第１の被動部を前記機器本体の前面との間に挟む位置に位置づけられることを特徴とする請求項１または２記載の駆動機構。
【発明の詳細な説明】
【０００１】
【発明の属する技術分野】
本発明は、例えば、移動体としての自動車などに装着される電子機器に関し、特に各種の音響機器の操作スイッチや表示パネルなどを備えた操作表示部を駆動する駆動機構に関する。
【０００２】
【従来の技術】
従来の電子機器では、例えば、移動体としての自動車のインストルメントパネル（以下インパネと呼ぶ）には、Compact Disc（以下ＣＤと呼ぶ）プレーヤ、ＭＤ（Mini disc）プレーヤ、ＡＭ／ＦＭチューナなどの、種々のカーオーディオが装着される。前述したカーオーディオとして、例えば、前記ＣＤプレーヤと前記ＡＭ／ＦＭチューナなどが一つの筐体内に収容されて構成される電子機器１０１（図２８に示す）が用いられている。
【０００３】
図２８に例示された電子機器１０１は、前記インパネに取り付けられる機器本体１０２と、前記機器本体１０２に対し移動自在に設けられた操作ユニット１０３と、を備えている。機器本体１０２は、箱状に形成されている。機器本体１０２は、ＡＭ／ＦＭチューナとＣＤを再生するための再生装置等を収容している。
【０００４】
また、機器本体１０２は、インパネに取り付けられると、使用者に相対する面１０２ａ（図２９に示す）に、記録媒体挿入口１０７を設けている。記録媒体挿入口１０７は、記録媒体としての前述したＣＤを機器本体１０２の内外に出し入れ自在とする。
【０００５】
操作ユニット１０３は、ＡＭ／ＦＭ放送局の選局や、ＣＤに記録されている曲の選曲などを行うための各種のスイッチ１０４と、放送局の選局状況や曲の選曲状況などを表示する表示パネル１０５などを備えている。操作ユニット１０３は、前記一つの面１０２ａを覆い前記表示パネル１０５などを使用者に相対させる第１の位置（図２８に示す）と、前記一つの面１０２ａを開放しかつ前記記録媒体挿入口１０７を露出させるとともに前記表示パネル１０５を上方に向ける第２の位置（図２９に示す）と、に亘って、前記機器本体１０２に移動自在に設けられている。
【０００６】
図２８に例示された電子機器１０１の操作ユニット１０３は、第１アーム１０８（図３０などに示す）と、第２アーム１０９（図３０などに示す）と、によって、図２８に示す第１の位置と、図２９に示す第２の位置とに亘って変位される。
【０００７】
第１アーム１０８は、一対設けられている。第１アーム１０８は、電子機器１０１の幅方向に沿って互いに間隔をあけて配されている。第１アーム１０８は、機器本体１０２の側壁の内側に設けられている。第１アーム１０８は、電子機器１０１の幅方向に沿う軸芯回りに回転自在に、機器本体１０２に支持されている。第１アーム１０８は、操作ユニット１０３の上端部を、電子機器１０１の幅方向に沿う軸芯回りに回転自在に支持している。
【０００８】
第２アーム１０９は、一対設けられている。第２アーム１０９は、電子機器１０１の幅方向に沿って互いに間隔をあけて配されている。第２アーム１０９は、機器本体１０２の側壁の内側に設けられている。第２アーム１０９は、電子機器１０１の幅方向に沿う軸芯回りに回転自在に、機器本体１０２に支持されている。第２アーム１０９は、操作ユニット１０３の下端部を、電子機器１０１の幅方向に沿う軸芯回りに回転自在に支持している。
【０００９】
前述した第１及び第２アーム１０８，１０９が、前記軸芯回りに回転することによって、図３０中に二点鎖線で示す第１の位置と、図３０中に実線で示す第２の位置とに亘って、操作ユニット１０３を移動する。こうして、前記第２の位置では、記録媒体挿入口１０７が露出される。
【００１０】
前記使用者は、前記第２の位置において、前記記録媒体挿入口１０７を通してＣＤを機器本体１０２内に挿入したり、前記機器本体１０２内からＣＤを取り出す。そして、前記使用者は、第１の位置において、前述した各種のスイッチ１０４などを操作してＡＭ／ＦＭチューナとＣＤプレーヤのソースの切換えや、選曲・選局を行う。
【００１１】
【発明が解決しようとする課題】
前述した従来の電子機器１０１は、一対の第１アーム１０８と、一対の第２アーム１０９とによって、操作ユニット１０３を第１の位置と第２の位置とに亘って移動させる。
【００１２】
このように、操作ユニット１０３を第１の位置と第２の位置とに亘って移動させるために、合計４本のアームが必要であった。このため、部品点数が増加するとともに、その４本のアームを回転駆動させるための駆動機構等の構造が複雑となって、部品を取得するためのコストや組立コストが高騰する傾向となっていた。
【００１３】
また、４本のアームを回転させて操作ユニット１０３を移動させているため、そのアームの長さにより操作ユニット１０３の移動範囲が制限されてしまう。そうなると、記録媒体挿入口１０７を露出させることはできるものの、機器本体１０２の一つの面１０２ａを露出する範囲が限られることになる。例えば、ＣＤ以外のＭＤ等の記録媒体を挿入するための記録媒体挿入口を記録媒体挿入口１０７とは別にその面１０２ａに設けることは困難を極めていた。
【００１４】
また、図３１に示すように、前記表示パネル１０５を前述した機器本体１０２の一つの面１０２ａに設けても、上記したように、面１０２ａを露出させる範囲が制限されてしまうため、結果的にその表示領域を広くすることができず、機器自体の作動状況を良好に視認することが困難とされていた。
【００１５】
本発明は、上記した事情に鑑みてなされたものであって、その第１の目的は、部品点数の増加を抑制してコストの高騰を抑制できる駆動機構を提供することにある。第２の目的は、例えば、機器自体の作動状況を良好に視認させることを可能とする駆動機構を提供することにある。
【００１６】
【課題を解決するための手段】
【００２１】
前記第１の目的と前記第２の目的を達成するために、請求項１に記載の本発明の駆動機構は、記録媒体を内部に挿入するための記録媒体挿入口を備えた機器本体に対し、前記記録媒体挿入口を覆う第１の位置と前記記録媒体挿入口を露出する第２の位置とに亘って第１の被動部と第２の被動部とを移動させる駆動機構であって、前記機器本体に回転自在に支持されるとともに、前記第１の被動部を支持する第１の回転支持部材と、前記第１の回転支持部材を回転させる第１の駆動手段と、前記第２の被動部を支持する第２の支持部材と、前記第２の被動部を支持するとともに前記機器本体に回転自在に支持された第２の回転支持部材と、前記記録媒体を前記記録媒体挿入口から前記機器本体内外に挿排する方向に沿って前記第２の支持部材を移動させるとともに、前記第２の回転支持部材を回転させる第２の駆動手段と、を備え、前記第１及び第２の駆動手段は、単一のモータにより回転駆動される単一のカム歯車が回転することにより、前記第１の回転支持部材を回転させ、かつ、前記第２の支持部材を移動させるとともに前記第２の回転支持部材を回転させて、前記第１及び第２の被動部を互いに連動させて前記第１の位置と前記第２の位置とに亘って移動することを特徴としている。
【００２２】
前記第１の目的と前記第２の目的を達成するために、請求項２に記載の本発明の駆動機構は、請求項１に記載の駆動機構において、前記第１の駆動手段は、前記カム歯車の一方の表面に凹状に形成された第１の凹溝部と、前記第１の回転支持部材から突出する第１の突出部材と、前記第１の突出部材を通すとともに、前記第１の凹溝部内に侵入させることを許容する第１のガイド孔とを更に備え、前記第２の駆動手段は、前記カム歯車の他方の表面に凹状に形成された第２の凹溝部と第３の凹溝部と、前記第２の支持部材から突出する第２の突出部材と、前記第２の回転支持部材から突出する第３の突出部材と、前記第２の突出部材を通すとともに、前記第２の凹溝部内に侵入させることを許容する第２のガイド孔と、前記第３の突出部材を通すとともに、前記第３の凹溝部内に侵入させることを許容する第３のガイド孔と、を更に備え、前記カム歯車が回転駆動されると、前記第１の凹溝部によって前記第１の突出部材が前記第１のガイド孔に沿って移動されるとともに、前記第２の凹溝部によって前記第２の突出部材が前記第２のガイド孔に沿って移動され、前記第３の凹溝部によって前記第３の突出部材が前記第３のガイド孔に沿って移動されて前記第１及び第２の被動部が互いに連動して前記第１の位置と前記第２の位置とに亘って移動されることを特徴としている。
請求項３に記載の本発明の駆動機構は、請求項１又は請求項２に記載の駆動機構において、前記第1の位置は、前記第1の被動部が前記機器本体の前面であって前記記録媒体挿入口を覆う位置に位置づけられるとともに、前記第２の被動部が当該第１の被動部を前記機器本体の前面との間に挟む位置に位置づけられることを特徴としている。
【００３１】
請求項１に記載した本発明の駆動機構によれば、機器本体に二つの被動部を設けても、１つのモータにより回転駆動される一つのカム歯車を用いて双方の被動部を移動させるので、極力部品点数の増加及びコストの高騰を抑制できる。また、一つのカム歯車を用いて双方の被動部を移動させるので、複雑な構造とせずに、双方の被動部を第１の位置と第２の位置とに亘って移動させることができる。
【００３２】
また、これらの被動部を使用者に対して露出させることができるので、例えば、表示パネルを機器本体の面ではなく双方の被動部に設けることができる。このため、表示パネルの表示領域を広くできる。
【００３３】
請求項２に記載した本発明の駆動機構によれば、機器本体に二つの被動部を設けても、一つのカム歯車を用いて双方の被動部を移動させるので、極力部品点数の増加及びコストの高騰を抑制できる。また、一つのカム歯車を用いて双方の被動部を移動させるので、複雑な構造とせずに、双方の被動部を第１の位置と第２の位置とに亘って移動させることができる。
【００３４】
また、これらの被動部を使用者に対して露出させることができるので、例えば、表示パネルを機器本体の面ではなく双方の被動部に設けることができる。このため、表示パネルの表示領域を広くできる。
【００３５】
【発明の実施の形態】
本発明の一実施形態にかかる駆動機構を備えた電子機器１を図１ないし図２６を参照して説明する。図１などに示す電子機器１は、例えば、移動体としての自動車のインストルメントパネル（以下インパネと呼ぶ）に装着される。
【００３６】
電子機器１は、例えば、記録媒体としてのCompact Disc（以下ＣＤと呼ぶ）を収容して、該ＣＤに記録された情報を再生して音声として出力するＣＤプレーヤや、ＡＭ／ＦＭ放送電波を受信して、その受信した情報を音声として出力するＡＭ／ＦＭチューナなどを備えている。
【００３７】
電子機器１は、図１ないし図３に示すように、機器本体２と、第２操作ユニット３と、第１操作ユニット４と、本発明の一実施形態にかかる駆動機構６（図４及び図５に示す）と、を備えている。機器本体２は、扁平な箱状に形成されたシャーシ５と、このシャーシ５内に収容されるＣＤプレーヤやＡＭ／ＦＭチューナ等を備えている。
【００３８】
シャーシ５は、箱状のシャーシ本体１４と、シャーシ本体１４の図中手間側に取り付けられる前面パネル１５と、一対の第１フレーム５７（図４などに示す）と、一対の第２フレーム３５（図４などに示す）とを備えている。シャーシ本体１４は、前記インパネに装着される。前面パネル１５は、帯状の板金である。
【００３９】
前面パネル１５は、表面１５ａに前記機器本体２の内側にＣＤを挿入したり、前記機器本体２内に収容されたＣＤを排出するための記録媒体挿入口７（図２に示す）を設けている。
【００４０】
また、前面パネル１５は、前記表面１５ａのすべての縁部に立設するように一体成形された複数の立設壁１５ｃを備えている。なお、第２操作ユニット３と第１操作ユニット４とは、後述する第１の位置において、前記複数の立設壁１５ｃで囲まれた空間に収容される。また、前面パネル１５の表面１５ａは、機器本体２の一つの面をなしている。
【００４１】
なお、シャーシ５内に収容されるＣＤプレーヤとＡＭ／ＦＭチューナ等は、使用者が第２操作ユニット３と第１操作ユニット４の後述するスイッチ１０，１３等を押圧することによって動作する。
【００４２】
第１フレーム５７は、板金などからなりほぼ平板状に形成されている。一対の第１フレーム５７は、機器本体２の幅方向に沿って互いに間隔をあけて配される。第１フレーム５７は、シャーシ本体１４の底壁からシャーシ本体１４の内側に向かう方向に立設した状態で固定される。
【００４３】
第１フレーム５７は、図４に示すように、機器本体２の幅方向に沿って後述するカム歯車２３よりも機器本体２の内側に配される。このため、第１フレーム５７は、カム歯車２３の一方の表面２３ｂに相対する。第１フレーム５７は、第２フレーム３５との間に、後述の歯車２１，２２，２３を挟む。
【００４４】
第１フレーム５７には、図１１などに示すように、第１のガイド孔５７ａと、本明細書の請求項１などに記載されたガイド部としての支持孔４５と、が形成されている。
【００４５】
第１のガイド孔５７ａは、孔４３と、孔４４と、を備えている。これらの孔４３，４４は、それぞれ第１フレーム５７を貫通している。第１のガイド孔５７ａの孔４３と孔４４とは、鉛直方向に沿って並べられている。
【００４６】
孔４３は、孔４４より上方に設けられている。孔４３は、円弧部４６と、傾斜部４７と、を備えている。円弧部４６は、第１フレーム５７の略中央に配されており、機器本体２の前面パネル１５が配される側から奥側に向かって延びた円弧状に形成されている。傾斜部４７は、円弧部４６の前面パネル１５側に端部に連なっている。
【００４７】
傾斜部４７は、円弧部４６から離れるのにしたがって、徐々に上方に向かうように、鉛直方向と水平方向との双方に対し傾斜している。傾斜部４７は、前面パネル１５に近づくのにしたがって、徐々に上方に向かうように、鉛直方向と水平方向との双方に対し傾斜している。
【００４８】
孔４４は、前面パネル１５に近づくのにしたがって、徐々に上方に向かうように、鉛直方向と水平方向との双方に対し傾斜している。孔４４は、孔４３の傾斜部４７と平行である。
【００４９】
支持孔４５は、第１フレーム５７を貫通している。支持孔４５は、第１フレーム５７の前面パネル１５寄りの端部に設けられている。支持孔４５は、第１鉛直部４８と水平部４９と第２鉛直部５０と、を備えている。第１鉛直部４８と水平部４９と第２鉛直部５０とは、第１フレーム５７の中央から前面パネル１５寄りの端部に向かう方向に沿って順に配されている。
【００５０】
第１鉛直部４８は、第１フレーム５７の上端部付近から略鉛直方向に沿って第１フレーム５７の略中央まで延びている。第１鉛直部４８は、上方に向かうにしたがって徐々に機器本体２の奥側に向かうように、鉛直方向に対し若干傾斜している。水平部４９は第１鉛直部４８の下端部に連なっている。水平部４９は、第１鉛直部４８から前面パネル１５寄りの端部に向かって、水平方向に沿って延びている。第２鉛直部５０は、水平部４９の前面パネル１５寄りの端部に連なっている。第２鉛直部５０は、水平部４９から下方に延びている。第２鉛直部５０は、第１フレーム５７の前面パネル１５寄りの縁に開口している。
【００５１】
第２フレーム３５は、板金などからなりほぼ平板状に形成されている。一対の第２フレーム３５は、電子機器１の幅方向に沿って互いに間隔をあけて配されている。第２フレーム３５は、シャーシ本体１４の底壁からシャーシ本体１４の内側に向かう方向に立設した状態で固定される。
【００５２】
第２フレーム３５は、図４に示すように、機器本体２の幅方向に沿ってカム歯車２３よりも機器本体２の外側に配される。このため、第２フレーム３５は、カム歯車２３の他方の表面２３ａに相対する。
【００５３】
第２フレーム３５には、図４、図５及び図９などに示すように、一対の第２のガイド孔４１と、第３のガイド孔４２とが形成されている。第２フレーム３５は、支持ピン３８ａ，３８ｂなどを備えている。第２及び第３のガイド孔４１，４２は、それぞれ第２フレーム３５を貫通している。第２のガイド孔４１は、図９に示すように、前面パネル１５寄りの側端部から反対側の側端部に向かう方向に沿って、間隔をあけて配されている。
【００５４】
図９に示すように、一対の第２のガイド孔４１は、それぞれ、水平延在部５１と、円弧部５２と、下方延在部５３と、を備えている。水平延在部５１と円弧部５２と下方延在部５３とは、機器本体２の奥側から前面パネル１５が配される方向に向かって順に配されている。水平延在部５１は、水平方向に沿って延びている。円弧部５２は、前記水平延在部５１と連なっている。円弧部５２は、平面形状が円弧状である。下方延在部５３は、円弧部５２に連なっているとともに、円弧部５２から下方に延びている。
【００５５】
第３のガイド孔４２は、平面形状が支持ピン３８ａを中心とした円弧状である。支持ピン３８ａは、第２フレーム３５の前面パネル１５寄りの側端部に設けられている。支持ピン３８ａは、第２フレーム３５から立設している。支持ピン３８ａは、第２フレーム３５から機器本体２の幅方向に沿ってシャーシ本体１４の内側から外側に向かう方向に延びている。
【００５６】
支持ピン３８ｂは、図５に示すように、第２フレーム３５から立設している。支持ピン３８ｂは、第２フレーム３５から、機器本体２の幅方向に沿ってシャーシ本体１４の外側から内側に向かう方向に延びている。支持ピン３８ｂは、カム歯車２３の回転中心Ｑに挿通されて、カム歯車２３を回転自在に支持する。
【００５７】
第２操作ユニット３は、図１から図６、図１３及び図２０に示すように、扁平な箱状のハウジング８と、該ハウジング８内に収容される表示パネルとしての液晶ディスプレイ（以下ＬＣＤと呼ぶ）９と、各種のスイッチ１０と、を備えている。ハウジング８は、機器本体２のシャーシ５の幅と機器本体２のシャーシ５の厚みとの双方とほぼ等しい。
【００５８】
ＬＣＤ９は、使用者に対し各種の情報を表示する表示領域としての表示面を備えている。各種のスイッチ１０は、使用者が操作するための操作部を構成している。この表示面と操作部とが前記ハウジング８の図１中手間側に位置する一つの面８ａに設けられている。なお、前記一つの面８ａは、露出面をなしており、以下露出面と呼ぶ。
【００５９】
第２操作ユニット３に設けられたスイッチ１０が使用者などに操作されることによって、例えば、ＡＭ／ＦＭチューナが電波を受信する放送局の選局が行われる。そして、第２操作ユニット３のＬＣＤ９にその選局中の放送局の周波数や放送局名等の情報を表示させる。
【００６０】
また、第２操作ユニット３は、駆動機構６の後述する第２ホルダ３９（図４及び図５に示す）に着脱自在となっている。
【００６１】
図示例では、第２操作ユニット３の露出面８ａと反対側の両側端には、図示しない凹溝が形成されている。また、第２ホルダ３９には、その凹溝に係止する係止爪２６（図８などに示す）が設けられている。この係止爪２６が凹溝に係止されることによって、第２操作ユニット３が第２ホルダ３９に取り付けられる。また、係止爪２６が凹溝から抜け出ることによって、第２操作ユニット３が第２ホルダ３９から取り外される。
【００６２】
第１操作ユニット４は、図３から図５及び図２０に示すように、扁平な箱状のハウジング１１と、該ハウジング１１内に収容される表示パネルとしての液晶ディスプレイ（以下ＬＣＤと呼ぶ）１２と、各種のスイッチ１３と、を備えている。ハウジング１１は、機器本体２のシャーシ５の幅方向に沿って相対する立設壁１５ｃ間の距離と、機器本体２の厚み方向に沿って相対する立設壁１５ｃ間の距離と、の双方より若干小さい。
【００６３】
ＬＣＤ１２は、使用者に対し各種の情報を表示する表示領域としての表示面を備えている。各種のスイッチ１３は、使用者が操作するための操作部を構成している。この表示面と操作部とが前記ハウジング１１の図２０中手間側に位置する一つの面１１ａに設けられている。なお、前記一つの面１１ａは、露出面をなしており、以下露出面と呼ぶ。
【００６４】
第１操作ユニット４に設けられたスイッチ１３が使用者などに操作されることによって、例えば、ＣＤプレーヤが再生する曲などが選択される。そして、第１操作ユニット４のＬＣＤ１２にその選曲中のトラック番号等の情報などを表示させる。
【００６５】
前記第２操作ユニット３と第１操作ユニット４とは、駆動機構６によって、図１に示す第１の位置と、図２に示す第２の位置と、図３に示す第３の位置と、に亘って移動される。本実施形態では、第２操作ユニット３と第１操作ユニット４とは、駆動機構６によって、第１の位置から第２の位置と第３の位置という順に移動される。また、第２操作ユニット３と第１操作ユニット４とは、駆動機構６によって、第３の位置から第２の位置と第１の位置という順に移動される。
【００６６】
前記第１の位置では、第２操作ユニット３と第１操作ユニット４とは、それぞれの露出面８ａ，１１ａとが前面パネル１５の表面１５ａに垂直な方向に沿って平行に並べられている。第２操作ユニット３と表面１５ａとの間に、第１操作ユニット４を位置させている。第１操作ユニット４は、立設壁１５ｃと表面１５ａとで囲まれる空面内に収容されている。なお、第２操作ユニット３と第１操作ユニット４が、第１の位置に位置しているときは、各々の露出面８ａ，１１ａは、機器本体２の前方に向いている。また、第１の位置では、第２操作ユニット３と第１操作ユニット４とは、記録媒体挿入口７を覆っている。
【００６７】
第２の位置では、第１の位置から第２操作ユニット３と第１操作ユニット４との双方が下方に移動して、記録媒体挿入口７を露出する。第２操作ユニット３が第１の位置から第２の位置に移動する際、第２操作ユニット３は、一旦、前面パネル１５の表面１５ａと垂直な方向に沿って、機器本体２の前方（機器本体２から離れる方向）に移動する。そして、機器本体２の下方に向かい第２の位置に移動する。さらに、第２操作ユニット３は、図２中手間に向かって移動され、露出面８ａが若干上向きとなる方向に回転される。
【００６８】
第３の位置では、第３の位置から第２操作ユニット３がさらに下方に移動するとともにＬＣＤ９の表示面即ち露出面８ａがより上向きとなる方向に回転されている。第３の位置では、第２の位置から第１操作ユニット４が上方に移動するとともにＬＣＤ１２の表示面即ち露出面１１ａが上向きとなる方向に回転されている。そして、第２操作ユニット３のＬＣＤ９の表示面及びスイッチ１０で構成される操作部と、第１操作ユニット４のＬＣＤ１２の表示面及びスイッチ１３で構成される操作部と、の双方が、前面パネル１５の表面１５ａの前方に露出された状態となっている。
【００６９】
即ち、第３の位置では、第２操作ユニット３と第１操作ユニット４との双方の露出面８ａ，１１ａが露出しているため、使用者は双方の露出面８ａ，１１ａに設けられた表示部の視認及び操作部の操作を行うことができる。また、第２操作ユニット３の露出面８ａの上方に第１操作ユニット４の露出面１１ａが位置している。さらに、第３の位置では、第２操作ユニット３と第１操作ユニット４との双方の露出面８ａ，１１ａが、上向きとなっているため、上記した視認及び操作を良好に行うことができる。
【００７０】
駆動機構６は、第１の駆動ユニット２４（図４に示す）と、第２の駆動ユニット２５（図５に示す）と、を備えている。第１の駆動ユニット２４と第２の駆動ユニット２５とは、第２ホルダ３９と第１ホルダ４０とを移動する。第２ホルダ３９と第１ホルダ４０とは、それぞれ帯状の板金である。第２ホルダ３９と、第１ホルダ４０とは、それぞれ、長手方向が機器本体２の幅方向に沿った状態で配される。第２ホルダ３９と第１ホルダ４０とは、前面パネル１５より若干小さい。
【００７１】
第２ホルダ３９には、第２操作ユニット３が着脱自在である。第２ホルダ３９は、図４、図５及び図８に示すように、係止爪２６を四つ備えている。係止爪２６は、第２ホルダ３９の表面の両端部に二つずつ取り付けられている。つまり、四つの係止爪２６は、二つの係止爪２６を一組として構成されている。さらに、一組のそれぞれの係止爪２６は、機器本体２の厚み方向に沿って互いに間隔をあけて取り付けられている。また、四つの係止爪２６は、各々第２ホルダ３９の中央に向かって図示しないねじりばねなどによって付勢されている。
【００７２】
係止爪２６は、前記第２操作ユニット３の図示しない凹溝に係止することによって、第２ホルダ３９に第２操作ユニット３を取り付ける。そして、例えば、使用者が第２操作ユニット３を第２ホルダ３９の下方向に移動させて、係止爪２６を凹溝内から抜け出させる。こうして、第２操作ユニット３を第２ホルダ３９から取り外す。
【００７３】
第１ホルダ４０には、第１操作ユニット４が取り付けられる。なお、前述した第１操作ユニット４と第１ホルダ４０とは、本明細書の特許請求の範囲などに記載した第１の被動部を構成している。第２操作ユニット３と第２ホルダ３９とは、本明細書の特許請求の範囲などに記載した第２の被動部を構成している。
【００７４】
駆動ユニット２４，２５は、それぞれ、シャーシ本体１４の内部に配される。駆動ユニット２４，２５は、それぞれ、シャーシ５の第１フレーム５７及び第２フレーム３５などに固定される。駆動ユニット２４，２５は、機器本体２の幅方向に沿って互いに間隔をあけて配される。駆動ユニット２４，２５は、機器本体２の幅方向の両端部に配される。
【００７５】
なお、これら第１の駆動ユニット２４と第２の駆動ユニット２５とは構成がほぼ同一であるため、以下第１の駆動ユニット２４を代表して説明し、第２の駆動ユニット２５には同一符号を付して説明を省略する。第１の駆動ユニット２４は、駆動源部１６（図１１に示す）と、第１駆動部１８（図４などに示す）と、第２駆動部１７（図４などに示す）と、を備えている。
【００７６】
駆動源部１６は、図１１に示すように、本明細書の特許請求の範囲に記載した駆動源としてのモータ１９と、ウォーム２０と、ウォーム歯車２１と、伝達歯車２２と、本明細書の特許請求の範囲に記載した歯車部としてのカム歯車２３と、を備えている。モータ１９は、正逆の双方向に回転可能な出力軸１９ａを備えている。モータ１９は、第２フレーム３５（図９などに示す）と第１フレーム５７との双方に固定されている。
【００７７】
ウォーム２０は、モータ１９の出力軸１９ａに取り付けられている。ウォーム歯車２１は、互いに同軸に配された大径歯車部２１ａと小径歯車部２１ｂとを一体に備えている。ウォーム歯車２１は、第２フレーム３５と第１フレーム５７との間に配されているとともに、これらのフレーム３５，５７に回転自在に支持されている。ウォーム歯車２１の大径歯車部２１ａが、ウォーム２０と噛み合っている。
【００７８】
伝達歯車２２は、互いに同軸に配された大径歯車部２２ａと小径歯車部２２ｂとを一体に備えている。伝達歯車２２は、第２フレーム３５と第１フレーム５７との間に配されているとともに、これらのフレーム３５，５７に回転自在に支持されている。伝達歯車２２の大径歯車部２２ａが、ウォーム歯車２１の小径歯車部２１ｂと噛み合っている。
【００７９】
カム歯車２３は、第２フレーム３５と第１フレーム５７との間に配されているとともに、これらのフレーム３５，５７に回転自在に支持されている。カム歯車２３は、伝達歯車２２の小径歯車部２２ｂと噛み合っている。
【００８０】
前述した各歯車２１，２２，２３の回転中心は、機器本体２の幅方向に沿っている。各歯車２１，２２，２３の両表面が、図１などに示す機器本体２の奥行き方向に沿うようにして配列されている。
【００８１】
カム歯車２３の機器本体２の幅方向に沿ってシャーシ本体１４の内側に位置する一方の表面２３ｂには、図１１などに示すように、第１の凹溝部２３ｃが形成されている。第１の凹溝部２３ｃは、凹溝３３と、凹溝３４とを備えている。凹溝３３と凹溝３４とは、前記一方の表面２３ｂに凹状に形成されている。
【００８２】
凹溝３３は、図１１などに示すように、カム歯車２３の回転中心Ｑの近傍を通り、カム歯車２３のほぼ径方向に沿っている。凹溝３３は、カム歯車２３の回転中心Ｑを中心とする円弧をなす方向に若干湾曲している。
【００８３】
凹溝３４は、図１１などに示すように、カム歯車２３の回転中心Ｑを中心とした円弧状の円弧部３４ａと、該円弧部３４ａに連なる渦部３４ｂと、を備えている。円弧部３４ａは、カム歯車２３の外縁部に設けられている。渦部３４ｂは、円弧部３４ａから離れるのにしたがって徐々にカム歯車２３の回転中心Ｑに近づく方向に延びている。
【００８４】
カム歯車２３の機器本体２の幅方向に沿ってシャーシ本体１４の外側に位置する他方の表面２３ａには、図９などに示すように、第２の凹溝部としての第２の凹溝３１と、第３の凹溝部としての第３の凹溝３２とが形成されている。第２の凹溝３１と第３の凹溝３２とは、前記他方の表面２３ａに凹状に形成されている。
【００８５】
第２の凹溝３１と第３の凹溝３２は、図９などに示すように、カム歯車２３の回転中心Ｑを中心とした渦状に形成されている。第２の凹溝３１と第３の凹溝３２とは、カム歯車２３の回転中心Ｑに関してほぼ対称となる位置に配されているとともに、前記回転中心Ｑに関してほぼ対称な形状である。第２の凹溝３１と第３の凹溝３２とは、前記回転中心Ｑから離れるのにしたがって、徐々にカム歯車２３の外縁部に近づくように、渦状に形成されている。
【００８６】
前述した構成によれば、駆動源部１６は、モータ１９からの回転駆動力によって、カム歯車２３を、図９中の矢印Ｌに沿う左回りと、図１６中の矢印Ｍに沿う右回りの方向と、の双方の方向に回転させる。
【００８７】
第１駆動部１８は、図４などに示すように、第１の回転支持部材としての第１アーム５８と、支持部材としての支持アーム５９と、前記第１のガイド孔５７ａと、前記支持孔４５と、を備えている。
【００８８】
第１アーム５８は、機器本体２の幅方向に沿って第１フレーム５７よりもシャーシ本体１４の内側に配される。第１アーム５８は、機器本体２の前面パネル１５が配される側から奥側に向かって延在したアーム状のアーム部６０と、鉛直方向に沿って延びた鉛直部６１と、を一体に備えている。
【００８９】
アーム部６０は、前面パネル１５寄りの一端部が第１ホルダ４０の下端部を支持している。アーム部６０は、電子機器１の幅方向に沿った第１の回転軸Ｒ（図４中などに一点鎖線で示す）を中心として、第１ホルダ４０の下端部を回転自在に支持する。鉛直部６１は、アーム部６０の他端部に連なっており、該他端部から上方に延びている。
【００９０】
第１アーム５８は、鉛直部６１の両端部それぞれに第１の突出部材としての第１の突出ピン６２，６２を設けている。第１の突出ピン６２，６２は、第１アーム５８から立設している。第１の突出ピン６２，６２は、第１アーム５８から機器本体２の幅方向に沿ってシャーシ本体１４の外側に向かって延びている。このため、第１の突出ピン６２，６２は、カム歯車２３の一方の表面２３ｂに設けられた第１の凹溝部２３ｃに向かって突出している。
【００９１】
第１の突出ピン６２，６２は、第１アーム５８が第１フレーム５７よりもシャーシ本体１４の内側に配されると、それぞれ、第１のガイド孔５７ａの孔４３と孔４４内に侵入する。さらに、第１の突出ピン６２，６２は、カム歯車２３の凹溝３３内と凹溝３４内に侵入する。上方の第１の突出ピン６２が、第１のガイド孔５７ａの孔４３内に侵入するため、円弧部４６などによって、第１アーム５８は、後述する回転中心Ｔ（図４、図５、図８、図１５及び図２２中に一点鎖線で示す）回りに回転自在に支持される。第１アーム５８は、第１フレーム５７即ちシャーシ５に回転自在に支持される。
【００９２】
支持アーム５９は、第１ホルダ４０に一体に形成されている。支持アーム５９は、電子機器１の側方からみて円弧状に形成されている。支持アーム５９は、第１ホルダ４０の両側部の上端部から機器本体２の奥側に向かって延びている。支持アーム５９は、第１の被動部を構成する第１ホルダ４０から機器本体２に向かって延びている。支持アーム５９は、機器本体２の幅方向に沿って第１フレーム５７よりもシャーシ本体１４の内側に配される。
【００９３】
支持アーム５９は、第１ホルダ４０から離れた側の端部５９ａに支持ピン６３を設けている。支持ピン６３は、支持アーム５９から立設している。支持ピン６３は、支持アーム６３から機器本体２の幅方向に沿ってシャーシ本体１４の外側に向かって延びている。支持ピン６３は、支持アーム５９が第１フレーム５７よりもシャーシ本体１４の内側に配されると支持孔４５内に侵入する。このため、支持アーム５９は、端部５９ａがガイド溝としての支持孔４５内に侵入する。
【００９４】
前述した第１の凹溝部２３ｃと、第１の突出ピン６２と、第１のガイド孔５７ａとは、本明細書に記した第１の駆動手段を構成している。なお、この第１の駆動手段は、第１アーム５８を、第１フレーム５７即ちシャーシ５に、回転中心Ｔ回りに回転自在に支持する。
【００９５】
第２駆動部１７は、図４などに示すように、第２の支持部材としての第２アーム３６と、第２の回転支持部材としての第３アーム３７と、前記第２のガイド孔４１と、第３のガイド孔４２と、を備えている。
【００９６】
第２アーム３６は、図４及び図１０などに示すように、機器本体２の前面パネル１５が配される側から奥側に向かって延在するアーム状に形成されている。第２アーム３６は、機器本体２の幅方向に沿って第２フレーム３５よりもシャーシ本体１４の外側に配される。
【００９７】
第２アーム３６は、前面パネル１５寄りの一端部が第２ホルダ３９の下端部を支持している。第２アーム３６は、機器本体２の幅方向を中心として、第２ホルダ３９の下端部を回転自在に支持する。第２アーム３６は、機器本体２の厚み方向に沿って、スライド移動自在に第２ホルダ３９の下端部を支持する。
【００９８】
第２アーム３６は、中央部と他端部との双方に第２の突出部材としての第２の突出ピン５４を設けている。第２の突出ピン５４は、第２アーム３６から立設している。第２の突出ピン５４は、第２アーム３６から機器本体２の幅方向に沿ってシャーシ本体１４の内側に向かって延びている。このため、第２の突出ピン５４は、カム歯車２３の他方の表面２３ａに設けられた第２の凹溝３１に向かって突出している。
【００９９】
第２の突出ピン５４は、第２アーム３６が第２フレーム３５よりもシャーシ本体１４の外側に配されると、それぞれ第２のガイド孔４１内に侵入する。そして、第２アーム３６の中央部に設けられている第２の突出ピン５４は、カム歯車２３の第２の凹溝３１内に侵入する。このため、第２アーム３６は、前記第２のガイド孔４１に沿って移動自在に支持される。
【０１００】
したがって、第２アーム３６は、前記第１の位置において、機器本体２内から記録媒体としての例えばＣＤ等を排出する方向に沿って移動されると、円弧部５２に沿って徐々に下方に移動する。すると、第３アーム３７から離れる。また、第２アーム３６は、前記第２の位置において、機器本体２内にＣＤ等を挿入する方向に沿ってスライドされると、円弧部５２に沿って徐々に上方に移動する。すると、第３アーム３７に近づく。このように、第２アーム３６は、機器本体２内から記録媒体としてのＣＤ等を排出する方向及び機器本体２内にＣＤ等を挿入する方向とに沿って移動されると、第３アーム３７に近づいたり離れたり（接離）する。
【０１０１】
第３アーム３７は、図４及び図１０などに示すように、機器本体２の前面パネル１５が配される側から奥側に向かって延在するアーム状に形成されている。第３アーム３７は、機器本体２の幅方向に沿って第２フレーム３５よりもシャーシ本体１４の外側でかつ第２アーム３６の上方に配される。第３アーム３７は、前面パネル１５寄りの一端部が第２ホルダ３９の上端部を支持している。第２アーム３６は、機器本体２の幅方向に沿った第２の回転軸Ｐ（図４中に一点鎖線で示す）を中心として、第２ホルダ３９の上端部を回転自在に支持する。
【０１０２】
第３アーム３７は、中央部に貫通孔５５を設けている。貫通孔５５内には、支持ピン３８ａが侵入する。第３アーム３７は、支持ピン３８ａ及び貫通孔５５とを中心として、回転自在に支持ピン３８ａに支持される。第３アーム３７は、第２フレーム３５に回転自在に支持される。第３アーム３７は、他端部に第３の突出部材としての第３の突出ピン５６を設けている。
【０１０３】
第３の突出ピン５６は、第３アーム３７から機器本体２の幅方向に沿ってシャーシ本体１４の内方向に向かって立設している。このため、第３の突出ピン５６は、カム歯車２３の他方の表面２３ａに設けられた第３の凹溝３２に向かって突出している。第３の突出ピン５６は、第３アーム３７が第２フレーム３５よりもシャーシ本体１４の外側に配されると、第３のガイド孔４２とカム歯車２３の第３の凹溝３２内に侵入する。
【０１０４】
前述した第２の凹溝３１と、第３の凹溝３２と、第２の突出ピン５４と、第３の突出ピン５６と、第２のガイド孔４１と、第３のガイド孔４２とは、本明細書に記した第２の駆動手段を構成している。この第２の駆動手段は、第２フレーム３５即ちシャーシ５に回転自在に支持された第３アーム３７を、支持ピン３８ａを中心として回転させる。第２の駆動手段は、第２アーム３６を、記録媒体挿入口７を通してＣＤ等を挿入する方向と記録媒体挿入口７からＣＤ等を排出する方向とに沿って移動自在に支持する。
【０１０５】
前述した構成の第１の駆動ユニット２４は、前記モータ１９が例えば正転駆動することによって、カム歯車２３を回転させて、前記第１の位置から、第２の位置を経て第３の位置に、第２操作ユニット３及び第２ホルダ３９と第１操作ユニット４及び第１ホルダ４０とを移動させる。また、前記モータ１９が逆転駆動することによって、第３の位置から第２の位置を経て第１の位置に、第２操作ユニット３及び第２ホルダ３９と第１操作ユニット４及び第１ホルダ４０とを移動させる。
【０１０６】
このとき、前述した第１の凹溝部２３ｃと第１の突出ピン６２と第１のガイド孔５７ａとで構成される第１の駆動手段が、第１アーム５８を回転中心Ｔ（図８、図１５及び図２２中に一点鎖線で示す）回りに回転させる。そして、第１の駆動手段が、第１操作ユニット４及び第１ホルダ４０を、前記第１の位置と第２の位置とに亘って移動させる。なお、前記回転中心Ｔは、下方の第１の突出ピン６２を中心としかつ電子機器１の幅方向に沿っている。
【０１０７】
また、前記第１の駆動手段が、回転中心Ｔ回りに第１アーム５８を回転させると、支持アーム５９の端部５９ａに設けられた支持ピン６３が支持孔４５に沿って移動する。すると、前記第１の駆動手段が、支持孔４５に沿って支持アーム５９を移動させる。
【０１０８】
さらに、前述した第２の凹溝３１と第３の凹溝３２と第２の突出ピン５４と第３の突出ピン５６と第２のガイド孔４１と第３のガイド孔４２とで構成される第２の駆動手段が、記録媒体挿入口７から機器本体２内にＣＤ等を挿入する方向と記録媒体挿入口７からＣＤ等を排出する方向とに沿って、第２アーム３６を移動させると、該第２アーム３６が第３アーム３７に接離する。また、前記第２の駆動手段が第３アーム３７を回転させる。そして、第２の駆動手段が、第２操作ユニット３及び第２ホルダ３９を、前記第１の位置と第２の位置とに亘って移動させる。
【０１０９】
前記第２の駆動ユニット２５は、前記モータ１９とウォーム２０とウォーム歯車２１と伝達歯車２２などを備えていない以外は、前記第１の駆動ユニット２４とほぼ同一の構成である。また、これらの第１の駆動ユニット２４と第２の駆動ユニット２５とは、図４及び図５に示すように、リンクロッド６４によって、互いに連動する。
【０１１０】
リンクロッド６４は、シャーシ本体１４に対し、その軸芯回りに回転自在に支持されている。リンクロッド６４は、棒状のロッド本体６５と、該ロッド本体６５の両端部に設けられたリンク歯車６６と、を一体に備えている。リンクロッド６４は、軸芯方向が電子機器１の幅方向に沿っている。リンク歯車６６は、それぞれ、第１の駆動ユニット２４のカム歯車２３と第２の駆動ユニット２５のカム歯車２３と噛み合っている。こうして、第１の駆動ユニット２４のモータ１９の回転駆動力によって、第１の駆動ユニット２４のカム歯車２３と第２の駆動ユニット２５のカム歯車２３とが回転する。
【０１１１】
次に、前述した構成の駆動機構６の作用（動作）について説明する。まず、第１の位置では、図９及び図１０に示すように、第２アーム３６の二つの第２の突出ピン５４は、第２フレーム３５の第２のガイド孔４１の水平延在部５１の機器本体２の奥側寄りの端部に位置している。また、第２アーム３６の中央部に設けられた第２の突出ピン５４は、第２の凹溝３１のカム歯車２３の回転中心Ｑ寄りの端部に位置している。
【０１１２】
第３アーム３７の第３の突出ピン５６は、第２フレーム３５の第３のガイド孔４２の下端部に位置している。さらに、第３の突出ピン５６は、第３の凹溝３２のカム歯車２３の回転中心Ｑ寄りの端部に位置している。
【０１１３】
また、前記第１の位置では、図１１及び図１２に示すように、第１アーム５８の鉛直部６１の上端部に設けられた第１の突出ピン（以下、上方の第１の突出ピンと呼ぶ）６２は、第１フレーム５７の孔４３の円弧部４６の機器本体２の奥側寄りの端部の位置している。前記上方の第１の突出ピン６２は、カム歯車２３の凹溝３３の機器本体２の奥側寄りの端部に位置している。
【０１１４】
鉛直部６１の下端部に設けられた第１の突出ピン（以下、下方の第１の突出ピンと呼ぶ）６２は、凹溝３４の円弧部３４ａの渦部３４ｂから離れた側の端部に位置している。下方の第１の突出ピン６２は、孔４４の下端部に位置している。支持アーム５９の支持ピン６３は、第１フレーム５７の支持孔４５の第１鉛直部４８の上端部に位置している。
【０１１５】
こうして、図６及び図７に示すように、第２操作ユニット３と第１操作ユニット４とは、露出面８ａ，１１ａが前面パネル１５の表面１５ａと垂直な方向に沿って平行に並んでいる。露出面１１ａが第２操作ユニット３と前面パネル１５との間に位置している。すなわち、第１操作ユニット４は、前面パネル１５と第２操作ユニット３とによって覆われ、第２操作ユニット３と第１操作ユニット４とは、記録媒体挿入口７を覆っている。さらに、図８に示すように、第２ホルダ３９と第１ホルダ４０とは、図中矢印Ｚで示す方向に沿って並んでいるとともに、第２ホルダ３９が第１ホルダ４０より図中手前側に配される。
【０１１６】
前記モータ１９が、例えば、正転駆動し、カム歯車２３が、図９及び図１１中の矢印Ｌに沿って回転すると、第２の凹溝３１が、カム歯車２３の回転中心Ｑから離れるのにしたがって徐々に外縁部に近づくように渦状に形成されており、第２の突出ピン５４が第２の凹溝３１の前記回転中心Ｑ寄りの端部に位置しているため、前記第２の突出ピン５４は、カム歯車２３の外縁部に向かって移動しようとする。
【０１１７】
すると、前記第２の突出ピン５４が、第２のガイド孔４１の水平延在部５１に沿って使用者に近づく方向に移動するとともに、円弧部５２に沿って下方に移動する。そして、第２アーム３６が記録媒体挿入口７からＣＤ等を排出する方向に沿って移動するとともに、前記第３アーム３７から徐々に離れる。
【０１１８】
さらに、第３の凹溝３２が、カム歯車２３の回転中心Ｑから離れるのにしたがって徐々に外縁部に近づくように渦状に形成されており、第３の突出ピン５６が第３の凹溝３２の前記回転中心Ｑ寄りの端部に位置しているため、前記第３の突出ピン５６は、カム歯車２３の外縁部に向かって移動しようとする。すると、前記第３の突出ピン５６が、第３のガイド孔４２に沿って上方に移動するとともに、第３アーム３７が、図１０中の矢印Ｎに沿って回転する。
【０１１９】
こうして、第２ホルダ３９即ち第２操作ユニット３が、前面パネル１５の表面１５ａと垂直な方向に沿って機器本体２から離れる方向に移動した後、機器本体２から下方に移動する。さらに、第２アーム３６が第３アーム３７から徐々に離れかつ第３アーム３７が図１０中の矢印Ｎに沿って回転するので、露出面８ａが上方に向く方向に、前記第２の回転軸Ｐを中心として回転する。
【０１２０】
また、前記第１の位置において、前記モータ１９が、例えば、正転駆動し、カム歯車２３が、図９及び図１１中の矢印Ｌに沿って回転すると、第１アーム５８の下方の第１の突出ピン６２が凹溝３４の円弧部３４ａ内に位置しており、上方の第１の突出ピン６２が孔４３の円弧部４６内に位置しているため、下方の第１の突出ピン６２は孔４４の下端部に位置したまま、上方の第１の突出ピン６２は、下方の第１の突出ピン６２を中心として円弧部４６内を前面パネル１５寄りの端部まで移動する。
【０１２１】
こうして、第１アーム５８は、前記回転中心Ｔ回りに、矢印Ｏ（図１２に示す）に沿って回転する。第１ホルダ４０即ち第１操作ユニット４は、前記円弧部４６の長さに応じて下方に移動する。なお、このとき、支持アーム５９の支持ピン６３は、下方に向かって第１鉛直部４８内を移動する。即ち、支持アーム５９の支持ピン６３は、支持孔４５に沿って移動する。
【０１２２】
このように、前記第１の位置から、第２操作ユニット３及び第２ホルダ３９が、図１３および図１４に示すように、前面パネル１５の表面１５ａと垂直な方向に沿って離れかつ機器本体２から下方にスライド移動するとともに、若干露出面８ａを上方に向ける。第１操作ユニット４が、図１３および図１４に示すように、下方に移動して、記録媒体挿入口７を露出する。こうして、第２操作ユニット３と第１操作ユニット４とは、前記第１の位置から第２の位置に移動する。
【０１２３】
第２の位置では、図１６及び図１７に示すように、第２アーム３６の二つの第２の突出ピン５４は、第２フレーム３５の一対の第２のガイド孔４１の円弧部５２の中央部に位置している。また、第２アーム３６の中央部に設けられた第２の突出ピン５４は、第２の凹溝３１の中央部に位置している。
【０１２４】
第３アーム３７の第３の突出ピン５６は、第２フレーム３５の第３のガイド孔４２の中央部に位置している。さらに、第３の突出ピン５６は、第３の凹溝３２の中央部に位置している。
【０１２５】
また、前記第２の位置では、図１８及び図１９に示すように、第１アーム５８の上方の第１の突出ピン６２は、第１フレーム５７の孔４３の円弧部４６の前面パネル１５寄りの端部に位置している。前記上方の第１の突出ピン６２は、カム歯車２３の凹溝３３の中央部に位置している。
【０１２６】
下方の第１の突出ピン６２は、凹溝３４の円弧部３４ａの渦部３４ｂ寄りの端部に位置している。下方の第１の突出ピン６２は、孔４４の下端部に位置している。支持アーム５９の支持ピン６３は、第１フレーム５７の支持孔４５の第１鉛直部４８の下端部に位置している。
【０１２７】
こうして、図１３及び図１４に示すように、第２操作ユニット３と第１操作ユニット４とは、前記第１の位置からそれぞれ下方に移動して、記録媒体挿入口７を露出させる。このとき、第２操作ユニット３の露出面８ａは、使用者に対し露出している。第１操作ユニット４の露出面１１ａは、第２操作ユニット３によって一部が覆われたままとなっている。
【０１２８】
さらに、図１５に示すように、第２ホルダ３９と第１ホルダ４０とは、前記第１の位置からそれぞれ下方に移動しているとともに、第２ホルダ３９が第１ホルダ４０より下方に配される。
【０１２９】
前記モータ１９が、例えば、更に正転駆動し、カム歯車２３が、図１６及び図１８中の矢印Ｌに沿って回転すると、第２の凹溝３１が、カム歯車２３の回転中心Ｑから離れるのにしたがって徐々に外縁部に近づくように渦状に形成されており、第２の突出ピン５４が第２の凹溝３１の中央部に位置しているため、前記第２の突出ピン５４は、カム歯車２３の外縁部に向かって移動しようとする。すると、前記第２の突出ピン５４は、円弧部５２に沿って更に下方に移動する。
【０１３０】
さらに、第３の凹溝３２が、カム歯車２３の回転中心Ｑから離れるのにしたがって徐々に外縁部に近づくように渦状に形成されており、第３の突出ピン５６が第３の凹溝３２の前記中央部に位置しているため、前記第３の突出ピン５６は、カム歯車２３の外縁部に向かって移動しようとする。すると、前記第３の突出ピン５６が、第３のガイド孔４２に沿ってさらに上方に移動するとともに、第３アーム３７が、図１７中の矢印Ｎに沿って回転する。
【０１３１】
こうして、第２ホルダ３９即ち第２操作ユニット３が、前記第２の位置から更に機器本体２から下方に離れかつ機器本体２の前方に向かって移動する。第２アーム３６がさらに機器本体２の前方に向かって移動し、第３アーム３７が前記矢印Ｎに沿って更に回転するので、露出面８ａが更に上方に向く方向に、第２の回転軸Ｐを中心として回転する。
【０１３２】
また、前記モータ１９が、第２の位置において、例えば、更に正転駆動し、カム歯車２３が、図１６及び図１８中の矢印Ｌに沿って回転すると、第１アーム５８の下方の第１の突出ピン６２が凹溝３４の渦部３４ｂ寄りの円弧部３４ａの端部に位置しているため、前記第１アーム５８の第１の突出ピン６２が、孔４３の傾斜部４７と、孔４４とに沿って上方に向かって移動する。
【０１３３】
こうして、第１アーム５８は、孔４３の傾斜部４７と、孔４４とに沿って、機器本体２の前方に向かって移動しながら上方に移動する。このとき、支持アーム５９の支持ピン６３は、上方に向かって第１鉛直部４８内を移動する。
【０１３４】
さらに、孔４３の傾斜部４７と孔４４とは、上方に向かうにしたがって徐々に第１鉛直部４８に近づく方向に傾斜しており、第１鉛直部４８が上方に向かうにしたがって、徐々に孔４３に近づく方向に傾斜している。第１ホルダ４０の下端部が機器本体２の前方に移動し第１ホルダの上端部が前面パネル１５に向かって移動する。すると、露出面１１ａが更に上方に向くように、第１操作ユニット４が第１の回転軸Ｒを中心として回転する。
【０１３５】
このように、前記第２の位置から、第２操作ユニット３及び第２ホルダ３９が、図２０及び図２１に示すように、機器本体２の前方でありかつ機器本体２から下方に離れるようにスライド移動するとともに、若干露出面８ａを上方に向ける。第１操作ユニット４が、図２０ないし図２１に示すように、上方にスライド移動するとともに、露出面１１ａを上方に向ける。こうして、第２操作ユニット３と第１操作ユニット４とは、前記第２の位置から第３の位置に移動する。
【０１３６】
第３の位置では、図２３及び図２４に示すように、第２アーム３６の二つの第２の突出ピン５４は、第２フレーム３５の一対の第２のガイド孔４１の円弧部５２の下方延在部５３寄りの端部に位置している。また、第２アーム３６の中央部に設けられた第２の突出ピン５４は、第２の凹溝３１のカム歯車２３の回転中心Ｑから離れた端部に位置している。
【０１３７】
第３アーム３７の第３の突出ピン５６は、第２フレーム３５の第３のガイド孔４２の上端部に位置している。さらに、第３の突出ピン５６は、第３の凹溝３２のカム歯車２３の回転中心Ｑから離れた端部に位置している。
【０１３８】
また、前記第３の位置では、図２５及び図２６に示すように、第１アーム５８の上方の第１の突出ピン６２は、第１フレーム５７の孔４３の傾斜部４７の上端部に位置している。下方の第１の突出ピン６２は、凹溝３４の渦部３４ｂのカム歯車２３の回転中心Ｑ寄りの端部に位置している。下方の第１の突出ピン６２は、孔４４の上端部に位置している。支持アーム５９の支持ピン６３は、第１フレーム５７の支持孔４５の第１鉛直部４８に位置している。
【０１３９】
こうして、図２０及び図２１に示すように、第２の位置から第２操作ユニット３がさらに下方に向かって移動し、第２の位置から第１操作ユニット４が上方に向かって移動する。露出面８ａ，１１ａがともに上方に向くように、第２操作ユニット３と第１操作ユニット４とが回転する。こうして、露出面８ａ，１１ａがそれぞれ使用者に対して露出するとともに上方に向いて、前記ＬＣＤ９，１２の表示面を前記使用者が良好に視認できる。
【０１４０】
さらに、図２２に示すように、第２ホルダ３９が第２の位置からさらに下方に向かって移動し、第１ホルダ４０が第２の位置から上方に移動して、第２ホルダ３９が第１ホルダ４０より下方に配される。
【０１４１】
また、前記第３の位置から、第２の位置を経て第１の位置に向かって移動する際には、前記モータ１９が例えば逆転駆動して、カム歯車２３を、前記矢印Ｌとは逆向きの図１６、図１８、図２３及び図２５中に示す矢印Ｍに沿って回転させれば良い。
【０１４２】
このように、第２操作ユニット３と第１操作ユニット４とは、それぞれ、機器本体２に対し移動して、記録媒体挿入口７を覆う第１の位置と、記録媒体挿入口７を露出する第２の位置とに亘って、移動する。また、第２操作ユニット３と第１操作ユニット４とは、それぞれ機器本体２に対し移動して、双方の露出面８ａ，１１ａを使用者に露出する第３の位置に移動可能である。
【０１４３】
第２ホルダ３９即ち第２操作ユニット３は、機器本体２から下方に向かって離れて、第１の位置から前記第２の位置に向かって移動する。さらに、第２ホルダ３９即ち第２操作ユニット３は、機器本体２から下方に向かって離れて、第２の位置から前記第３の位置に向かって移動する。
【０１４４】
また、第１ホルダ４０即ち第１操作ユニット４は、機器本体２に対し下方に向かって移動して、第１の位置から第２の位置に移動する。さらに、第１ホルダ４０即ち第１操作ユニット４は、再び上方に移動して、第２の位置から第３の位置に向かって移動する。
【０１４５】
また、前記第２の位置及び第３の位置では、第２ホルダ３９即ち第２操作ユニット３は、電子機器１の幅方向に沿った第２の回転軸Ｐ回りに回転して、露出面８ａが上方に向けられる。さらに、第３の位置では、第１ホルダ４０即ち第１操作ユニット４は、電子機器１の幅方向に沿った第１の回転軸Ｒ回りに回転して、露出面１１ａが上方に向けられる。
【０１４６】
また、前述した電子機器１は、前記第２の位置または前記第３の位置において、第２操作ユニット３が第２ホルダ３９から取り外されると、前記モータ１９が前述した逆転駆動して、第２ホルダ３９が前記第１の位置に向かって移動する。そして、第２ホルダ３９と前面パネル１５との間に第１操作ユニット４を位置させるとともに、第２ホルダ３９と第１操作ユニット４とは、前面パネル１５の表面１５ａに垂直な方向に沿って並べられる。そして、第２操作ユニット３が第２ホルダ３９から取り外されると、第２ホルダ３９が、前面パネル１５などとともに、第１操作ユニット４を覆い、電子機器１自体が機能しなくなる。
【０１４７】
本実施形態によれば、第１ホルダ４０及び第１操作ユニット４を第１の位置と第２の位置とに亘って移動させるために、第１ホルダ４０に一体でかつ機器本体２に向かって延びた支持アーム５９と、第１フレーム５７に回転自在に支持された第１アーム５８と、を用いる。さらに、これらの支持アーム５９と第１アーム５８とを移動させるために、支持孔４５と第１のガイド孔５７ａなどを用いる。
【０１４８】
このように、第１ホルダ４０と一体な支持アーム５９と第１アーム５８などの簡便な構造で、第１ホルダ４０及び第１操作ユニット４を移動させることができる。したがって、部品点数の増加を抑制でき、コストの高騰を抑制できる。なお、支持アーム５９は、第１ホルダ４０と一体であるため、勿論第１ホルダ４０に対して駆動しない。
【０１４９】
カム歯車２３の一方の表面２３ｂから凹の第１の凹溝部２３ｃに、第１アーム５８から突出した第１の突出ピン６２を、前記第１のガイド孔５７ａを通して挿入している。前記カム歯車２３を回転させると、前記第１のガイド孔５７ａに沿って第１の突出ピン６２を移動させることができる。このため、第１ホルダ４０及び第１操作ユニット４を、前記第１の位置と第２の位置とに亘って確実に移動させることができる。
【０１５０】
第１の位置から第２の位置に向かって、第２ホルダ３９及び第２操作ユニット３が移動する際に、第２アーム３６がＣＤ等の記録媒体の排出方向に沿って移動すると、該第２アーム３６が第３アーム３７から離れる。さらに、第３アーム３７が回転する。このため、第１の位置から第２の位置に向かって、第２ホルダ３９及び第２操作ユニット３が移動する際に、第２ホルダ３９及び第２操作ユニット３は、前記第２アーム３６が前記第３アーム３７から離れる方向とは、逆向きに傾く。図示例では、上向きに傾く。
【０１５１】
このため、第２の位置に変位した際に、第２操作ユニット３の露出面８ａを使用者に容易に相対させることができる。したがって、露出面８ａにＬＣＤ９を設けることによって、該ＬＣＤ９が表示する情報を使用者が確実に良好に視認できる。このため、ＬＣＤ９が電子機器１の作動状況などを表示することによって、使用者が電子機器１の作動状況などを良好に視認できる。
【０１５２】
カム歯車２３の他方の表面２３ａから凹の第２の凹溝３１に、第２アーム３６から突出した第２の突出ピン５４を、第２のガイド孔４１を通して挿入している。また、第３の凹溝３２に、第３アーム３７から突出した第３の突出ピン５６を、第３のガイド孔４２を通して挿入している。
【０１５３】
カム歯車２３を回転させると、前記第２のガイド孔４１に沿って第２の突出ピン５４を移動させ、第３のガイド孔４２に沿って第３の突出ピン５６を移動させることができる。このため、使用者が電子機器１の作動状況などを良好に視認できることにくわえ、第２ホルダ３９及び第２操作ユニット３を、前記第１の位置と第２の位置とに亘って確実に移動させることができる。
【０１５４】
さらに、第１ホルダ４０及び第１操作ユニット４を移動させるための第１の凹溝部２３ｃをカム歯車２３の一方の表面２３ｂに設け、第２ホルダ３９及び第２操作ユニット３を移動させるための第２及び第３の凹溝３１，３２をカム歯車２３の他方の表面２３ａに設けている。
【０１５５】
このため、カム歯車２３を回転させることで、第１ホルダ４０などと第２ホルダ３９などとを所望のタイミングで同期させて、第１の位置と第２の位置とに亘って移動できる。また、カム歯車２３の両方の表面２３ｂ，２３ａを用いているので、部品点数の増加を抑制できる。このため、コストの高騰をより一層抑制できる。
【０１５６】
第２操作ユニット３と第１操作ユニット４それぞれの露出面８ａ，１１ａは、第３の位置では露出する。このため、前記露出面８ａ，１１ａそれぞれに設けられたＬＣＤ９，１２の表示面を大きくできる。使用者などが、電子機器１の作動状況を良好に視認できるようになる。
【０１５７】
また、前記第２操作ユニット３に例えばＡＭ／ＦＭチューナが受信する放送局の選択等を行うためのスイッチ１０を設け、前記第１操作ユニット４に例えばＣＤプレーヤが再生する曲の選択などを行うためのスイッチ１３を設けている。このため、操作部を設置する領域が拡大され、有効利用することができる。
【０１５８】
第２ホルダ３９から第２操作ユニット３を取り外すと、第２ホルダ３９と機器本体２との間に第１操作ユニット４が位置するように、第２ホルダ３９と第１操作ユニット４との双方が移動する。このため、第２操作ユニット３を取り外すと、第２ホルダ３９が第１操作ユニット４と前面パネル１５を覆う。
【０１５９】
また、第２操作ユニット３が取り外されると電子機器１自体が機能しないようになる。電子機器１の盗難を防止できる。
【０１６０】
また、前述した実施形態では、第１の位置から第３の位置に向かって移動する際に、第２操作ユニット３が下方に向かって移動している最中に、第２の位置に位置した後、第１操作ユニット４が上方に向かって移動する。しかしながら、本発明では、第２操作ユニット３が第１の位置から第３の位置に向かって移動する際に下死点に達した後に、第１操作ユニット４が上方に移動しても良い。
【０１６１】
この場合、第３の位置では、第２操作ユニット３の露出面８ａと第１操作ユニット４の露出面１１ａとが互いに重なることをより確実に防止できる。したがって、第２の位置において、露出面８ａ，１１ａそれぞれを使用者がより一層確実に視認できる。したがって、前記露出面８ａ，１１ａそれぞれに設けられたＬＣＤ９，１２が表示する内容を良好に視認できるとともに、スイッチ１０，１３をより確実に操作できるようになる。
【０１６２】
さらに、前述した実施形態では、第３の位置では、露出面８ａ，１１ａが上向きとなる方向に、第２操作ユニット３と第１操作ユニット４との双方が回転する。本発明では、各アーム３６，３７，５８，５９の長さなどを適宜変更することによって、前記第３の位置において、図２７に示すように、露出面８ａ，１１ａを互いに平行にしても良い。なお、前述した実施形態と同一構成部分には、同一符号を付して説明を省略する。この場合、第３の位置において、使用者が、露出面８ａ，１１ａに設けられたＬＣＤ９，１２が表示する情報をより一層良好に視認できる。
【０１６３】
【発明の効果】
【０１７１】
請求項１に記載の本発明は、機器本体に二つの被動部を設けても、１つのモータにより回転駆動される一つのカム歯車を用いて双方の被動部を移動させるので、極力部品点数の増加及びコストの高騰を抑制できる。また、一つのカム歯車を用いて双方の被動部を移動させるので、複雑な構造とせずに、双方の被動部を第１の位置と第２の位置とに亘って移動させることができる。
【０１７２】
また、これらの被動部を使用者に対して露出させることができるので、例えば、表示パネルを機器本体の面ではなく双方の被動部に設けることができる。このため、表示パネルの表示領域を広くできる。したがって、表示パネルが表示する情報を使用者が良好に視認でき、使用者が電子機器の作動状況などを良好に視認できる。
【０１７３】
請求項２の記載の本発明は、機器本体に二つの被動部を設けても、一つのカム歯車を用いて双方の被動部を移動させるので、極力部品点数の増加及びコストの高騰を抑制できる。また、一つのカム歯車を用いて双方の被動部を移動させるので、複雑な構造とせずに、双方の被動部を第１の位置と第２の位置とに亘って移動させることができる。
【０１７４】
また、これらの被動部を使用者に対して露出させることができるので、例えば、表示パネルを機器本体の面ではなく双方の被動部に設けることができる。このため、表示パネルの表示領域を広くできる。したがって、表示パネルが表示する情報を使用者が良好に視認でき、使用者が電子機器の作動状況などを良好に視認できる。
【図面の簡単な説明】
【図１】本発明の一実施形態にかかる駆動機構を備えた電子機器を示す斜視図である。
【図２】図１に示された電子機器の第２操作ユニットと第１操作ユニットとが第２の位置に変位した状態を示す斜視図である。
【図３】図１に示された電子機器の第２操作ユニットと第１操作ユニットとが第３の位置に変位した状態を示す斜視図である。
【図４】図１に示された駆動機構の第１の駆動ユニットなどを分解して示す斜視図である。
【図５】図１に示された駆動機構の第２の駆動ユニットなどを分解して示す斜視図である。
【図６】図１に示された電子機器の第２操作ユニットと第１操作ユニットとが第１の位置に変位した状態を示す正面図である。
【図７】図１に示された電子機器の第２操作ユニットと第１操作ユニットとが第１の位置に変位した状態を、一部を断面にして示す側面図である。
【図８】図１に示された電子機器の第２ホルダと第１ホルダとが第１の位置に変位した状態の駆動機構を示す斜視図である。
【図９】図８中の矢印Ａ方向からみた第２フレームとカム歯車との位置関係などを示す側面図である。
【図１０】図８中の矢印Ａ方向からみた第２フレームと第２アームと第３アームとの位置関係などを示す側面図である。
【図１１】図８中の矢印Ｂ方向からみた第１フレームとカム歯車との位置関係などを示す側面図である。
【図１２】図８中の矢印Ｂ方向からみた第１フレームと第１アームと支持アームとの位置関係などを示す側面図である。
【図１３】図１に示された電子機器の第２操作ユニットと第１操作ユニットとが第２の位置に変位した状態を示す正面図である。
【図１４】図１に示された電子機器の第２操作ユニットと第１操作ユニットとが第２の位置に変位した状態を、一部を断面にして示す側面図である。
【図１５】図１に示された電子機器の第２ホルダと第１ホルダとが第２の位置に変位した状態の駆動機構を示す斜視図である。
【図１６】図１５中の矢印Ｃ方向からみた第２フレームとカム歯車との位置関係などを示す側面図である。
【図１７】図１５中の矢印Ｃ方向からみた第２フレームと第２アームと第３アームとの位置関係などを示す側面図である。
【図１８】図１５中の矢印Ｄ方向からみた第１フレームとカム歯車との位置関係などを示す側面図である。
【図１９】図１５中の矢印Ｄ方向からみた第１フレームと第１アームと支持アームとの位置関係などを示す側面図である。
【図２０】図１に示された電子機器の第２操作ユニットと第１操作ユニットとが第３の位置に変位した状態を示す正面図である。
【図２１】図１に示された電子機器の第２操作ユニットと第１操作ユニットとが第３の位置に変位した状態を、一部を断面にして示す側面図である。
【図２２】図１に示された電子機器の第２ホルダと第１ホルダとが第３の位置に変位した状態の駆動機構を示す斜視図である。
【図２３】図２２中の矢印Ｅ方向からみた第２フレームとカム歯車との位置関係などを示す側面図である。
【図２４】図２２中の矢印Ｅ方向からみた第２フレームと第２アームと第３アームとの位置関係などを示す側面図である。
【図２５】図２２中の矢印Ｆ方向からみた第１フレームとカム歯車との位置関係などを示す側面図である。
【図２６】図２２中の矢印Ｆ方向からみた第１フレームと第１アームと支持アームとの位置関係などを示す側面図である。
【図２７】本発明の変形例の電子機器の第２操作ユニットと第１操作ユニットとが第３の位置に変位した状態を、一部を断面にして示す側面図である。
【図２８】従来の電子機器を示す斜視図である。
【図２９】図２８に示された電子機器の操作ユニットが第２の位置に変位した状態を示す斜視図である。
【図３０】図２８に示された電子機器の操作ユニットが移動する範囲などを示す説明図である。
【図３１】従来の他の電子機器を示す斜視図である。
【符号の説明】
１  電子機器
２  機器本体
３  第２操作ユニット（第２の被動部）
４  第１操作ユニット（第１の被動部）
６  駆動機構
７  記録媒体挿入口
１９  モータ（駆動源）
２３  カム歯車（歯車部）
２３ｂ  一方の表面
２３ａ  他方の表面
２３ｃ  第１の凹溝部（第１の駆動手段）
３１  第２の凹溝（第２の凹溝部、第２の駆動手段）
３２  第３の凹溝（第３の凹溝部、第２の駆動手段）
３６  第２アーム（第２の支持部材）
３７  第３アーム（第２の回転支持部材）
３９  第２ホルダ（第２の被動部）
４０  第１ホルダ（第１の被動部）
４１  第２のガイド孔（第２の駆動手段）
４２  第３のガイド孔（第２の駆動手段）
４５  支持孔（ガイド部）
５４  第２の突出ピン（第２の突出部材、第２の駆動手段）
５６  第３の突出ピン（第３の突出部材、第２の駆動手段）
５７ａ  第１のガイド孔（第１の駆動手段）
５８  第１アーム（第１の回転支持部材）
５９  支持アーム（支持部材）
５９ａ  端部
６２  第１の突出ピン（第１の突出部材、第１の駆動手段）
【図１】
0004328033.tif 000002
【図２】
0004328033.tif 000003
【図３】
0004328033.tif 000004
【図４】
0004328033.tif 000005
【図５】
0004328033.tif 000006
【図６】
0004328033.tif 000007
【図７】
0004328033.tif 000008
【図８】
0004328033.tif 000009
【図９】
0004328033.tif 000010
【図１０】
0004328033.tif 000011
【図１１】
0004328033.tif 000012
【図１２】
0004328033.tif 000013
【図１３】
0004328033.tif 000014
【図１４】
0004328033.tif 000015
【図１５】
0004328033.tif 000016
【図１６】
0004328033.tif 000017
【図１７】
0004328033.tif 000018
【図１８】
0004328033.tif 000019
【図１９】
0004328033.tif 000020
【図２０】
0004328033.tif 000021
【図２１】
0004328033.tif 000022
【図２２】
0004328033.tif 000023
【図２３】
0004328033.tif 000024
【図２４】
0004328033.tif 000025
【図２５】
0004328033.tif 000026
【図２６】
0004328033.tif 000027
【図２７】
0004328033.tif 000028
【図２８】
0004328033.tif 000029
【図２９】
0004328033.tif 000030
【図３０】
0004328033.tif 000031
【図３１】
0004328033.tif 000032